(57)【要約】【課題】  媒体流路内の媒体の流れを乱流とすることができ、かつ加工が容易であり、媒体の流路断面積を確保できるマイクロチャネル熱交換器を提供する。【解決手段】  多段積層される積層シート１２を、互いに平行に設けられるシート部材４と、このシート部材４上に断続的に配設される壁部１３とから構成し、上下一対のシート部材４および左右一対の壁部１３で囲まれた部分で媒体流路１４を形成した。これにより、複数の積層シート１２を積層して接合することにより熱交換を行なうコア部分を形成した後、媒体流路１４を流れる媒体が壁部１３間の隙間Ｇを介して他の媒体流路１４の媒体と交わるので、媒体流路１４内の媒体の流れが乱流となる。【選択図】  図１
2007017078.tif 000002
【特許請求の範囲】
【請求項１】
媒体流路（１４）を有する積層シート（１２）を多段積層してなる、マイクロチャネル熱交換器の媒体流路形成体であって、
前記積層シート（１２）を、互いに平行に設けられるシート部材（４）と、このシート部材（４）上に間欠的に配設される壁部（１３）とから構成したことを特徴とするマイクロチャネル熱交換器の媒体流路形成体。
【発明の詳細な説明】
【技術分野】
【０００１】
本発明は、冷媒の熱交換を行なうマイクロチャネル熱交換器の媒体流路形成体に関する。
【背景技術】
【０００２】
図２はこの種の従来のマイクロチャネル熱交換器を示す斜視図、図３は図２のマイクロチャネル熱交換器に設けられる積層シートの斜視図、図４は積層シートの平面図、図５は積層シートを積層した状態を示す正面図である。
【０００３】
図２に示すマイクロチャネル熱交換器１は、媒体流路２を有する複数の積層シート３を多段積層することにより、熱交換を行なうコア部分が形成されている。各積層シート３は、互いに平行に設けられるシート部材と、このシート部材上に配設される壁部５とから構成されている。この従来のマイクロチャネル熱交換器１にあっては、図３および図４に示すようにシート部材４上に壁部５を立設することにより積層シート３を形成した後、図５に示すように壁部５上に上部の積層シート３を重ねて、壁部５および上部積層シート３のシート部材４間の接触部６を接合することにより、熱交換を行なうコア部分を形成するようになっている。なお、上記の媒体流路２は、上下一対のシート部材４および左右一対の壁部５で囲まれた部分で構成されている。
【０００４】
このように構成された従来のマイクロチャネル熱交換器１では、壁部５の高さと幅寸法は微細であり、かつ媒体流路２の入口から出口まで壁部５が途切れることなく連続しているので、媒体流路２を流れる媒体は隣接する他の媒体流路２の媒体とは交わらないようになっている。例えば、積層シート３の高さＨ１は０．６ｍｍ、壁部５の高さ（媒体流路２の高さ）Ｈ２は０．４５ｍｍ、壁部５の幅Ｄ１は０．０５ｍｍ、壁部５間の間隔Ｄ２は２．０ｍｍにそれぞれ設定されている。
【０００５】
図６は従来のマイクロチャネル熱交換器に設けられる他の積層シートの正面図、図７は図６の積層シートに備えられるコルゲートフィンの斜視図である。なお、図６および図７において前述した図２〜図５に示すものと同等のものには同一符号を付してある。
【０００６】
図６に示す積層シート７はシート部材４上に設けられるコルゲートフィン８を有している。図７に示すようにコルゲートフィン８の壁部９には連通穴１０が形成されている。この積層シート７に上部の積層シート７を積層することにより、上下一対のシート部材４および左右一対の壁部９で囲まれた部分で媒体流路１１が構成されている。例えば、積層シート７の高さＨ３は０．６ｍｍ、コルゲートフィン８の壁部９の高さ（媒体流路１１の高さ）Ｈ４は０．４ｍｍ、シート部材４の厚さＴ１は０．１ｍｍ、コルゲートフィン８の厚さＴ２は０．１ｍｍにそれぞれ設定されている。この従来のマイクロチャネル熱交換器では、媒体流路１１を流れる媒体が連通穴１０を介して他の媒体流路１１の媒体と交わり媒体の流れが乱流となるので、熱交換機能を向上させることができる。
【発明の開示】
【発明が解決しようとする課題】
【０００７】
しかしながら、上述した従来技術にあって、図２〜図５に示すように媒体流路２の入口から出口まで壁部５が途切れることなく連続している積層シート３を備えたものでは、熱交換機能の向上が要望されている。
【０００８】
また、図６および図７に示すようにコルゲートフィン８の壁部９に連通穴１０を有するシート部材７を備えたものでは、熱交換機能を向上させることはできるが、壁部９の高さと幅寸法は微細であり、穴開け加工が難しく生産性が劣るため、コストがかかるとともに、シート部材４にコルゲートフィン８が重なることにより媒体流路１１の流路断面積が減少するという問題もある。例えば、コルゲートフィン８の壁部９に直径０．３ｍｍ以下の微細穴をあけるにはロール成形やプレス成形にしても高い工具精度が必要であり、加工機台も高精度化が要求されるので上記のようにコストがかかる。また、穴あけと曲げを別工程で行なう場合、穴位置と曲げ位置がずれるため同時加工が必要となり、この場合もやはり加工費が高くなる。
【０００９】
本発明は、上記のような従来技術を考慮してなされたもので、その目的は、媒体流路を流れる際に媒体の流れを乱流とすることができるとともに、加工が容易であり、かつ媒体の流路断面積を確保することのできるマイクロチャネル熱交換器の媒体流路形成体を提供することにある。
【課題を解決するための手段】
【００１０】
上記目的を達成するため本発明は、媒体流路を有する積層シートを多段積層したマイクロチャネル熱交換器の媒体流路形成体であって、前記積層シートを、互いに平行に設けられるシート部材と、このシート部材上に間欠的に配設される壁部とから構成してある。
【００１１】
このように構成した本発明では、複数の積層シートを積層して接合することによって、熱交換を行なうコア部分を形成した後、前記の媒体が媒体流路を流れる際に壁部間の隙間を介して他の媒体流路の媒体と交わるので、媒体の流れを乱流とすることができる。また、例えば、平板にエッチング加工を施すことにより、断続的に配設される壁部を形成することができ、加工が容易である。隣り合う積層シートのシート部材間にコルゲートフィンを設けて壁部に連通穴を形成するようにした従来例と比べて、媒体の流路断面積を大きく確保することができる。
【発明の効果】
【００１２】
本発明では、媒体流路を流れる際に媒体の流れを乱流とすることができるとともに、加工が比較的容易であり、かつ媒体の流路断面積を確保することができる。したがって、優れた熱交換性能を有し、かつ安価なマイクロチャネル熱交換器が得られるという効果がある。
【発明を実施するための最良の形態】
【００１３】
以下、本発明の実施の形態に係るマイクロチャネル熱交換器の媒体流路形成体の詳細を図面に基づいて説明する。
【００１４】
本発明の実施の形態に係るマイクロチャネル熱交換器に用いる積層シートを図１に示す。なお、図１において前述した図２〜図７に示すものと同等のものには同一符号を付してある。
【００１５】
図１に示すように、この実施の形態のマイクロチャネル熱交換器の媒体流路形成体では、上述した図３〜図６に示す従来の構造に比較して、媒体流路形成体としての積層シート１２を、シート部材４と、このシート部材４上に間欠的に配設される壁部１３とから構成したことが異なっており、その他の構成は基本的に同様である。
【００１６】
上記壁部１３は、例えば、平板にエッチング加工を施すことによって形成することができる。また、壁部１３の高さが比較的小さい場合には、プレス成形やロール成形でも壁部１３を形成可能である。
【００１７】
この実施の形態にあっては、複数の積層シート１２を積層して接合することにより、熱交換を行なうコア部分を形成する。この状態で一対のシート部材４間に媒体流路１４が形成され、この媒体流路１４内を媒体が流路方向Ｆに流れるようになっている。各壁部１３は流路方向Ｆに対して所定角度斜めに配列されるとともに、隣り合う壁部１３間に等しい隙間Ｇが形成されている。
【００１８】
このように構成した本実施の形態では、媒体流路１４を流路方向Ｆに流れる媒体が壁部１３間の隙間Ｇを介して他の媒体流路１４の媒体と交わるので、媒体流路１４を流れる際に媒体の流れを乱流とすることができる。また、一対のシート間にコルゲートフィンを設けて壁部に連通穴を形成するようにした従来例と比べて、加工が容易であるとともに、媒体の流路断面積を確保することができる。
【００１９】
以上、本発明の実施の形態に係るマイクロチャネル熱交換器の媒体流路形成体について説明したが、本発明はこれに限定されるものではなく、構成の要旨に付随する各種の設計変更が可能である。
【００２０】
例えば、上記実施の形態では、壁部１３を直方体形状としたが、媒体が流れる方向の両端部分の流通抵抗を小さくするために曲面状としてもよい。すなわち、壁部１３の平面形状を楕円形状としてもよい。
【００２１】
又、上記実施の形態では、各壁部１３は流路方向Ｆに対して所定角度斜めに配列され（同列の壁部１３同士が平行をなすように配列され）るとともに、隣り合う壁部１３間に等しい隙間Ｇが形成されるように設定したが、流路方向Ｆに対して斜めであれば、流路方向Ｆに対する角度が互いに異なった角度に配置されていてもよい。
【図面の簡単な説明】
【００２２】
【図１】本発明の一実施形態に係るマイクロチャネル熱交換器を示す断面図である。
【図２】マイクロチャネル熱交換器を示す斜視図である。
【図３】図２のマイクロチャネル熱交換器に設けられる積層シートの斜視図である。
【図４】積層シートの平面図である。
【図５】積層シートを積層した状態を示す正面図である。
【図６】従来のマイクロチャネル熱交換器に設けられる他の積層シートの正面図である。
【図７】図６の積層シートに備えられるコルゲートフィンの斜視図である。
【符号の説明】
【００２３】
４  シート部材
１２  積層シート
１３  壁部
１４  媒体流路
【図１】
2007017078.tif 000003
【図２】
2007017078.tif 000004
【図３】
2007017078.tif 000005
【図４】
2007017078.tif 000006
【図５】
2007017078.tif 000007
【図６】
2007017078.tif 000008
【図７】
2007017078.tif 000009